(57)【特許請求の範囲】
【請求項１】
ダイバーのヒールを締め付けるストラップ３と、前記ストラップのフィンへの連結と前記締め付け調整とが可能なバックル６とから構成され、
前記ストラップ３は、その一側面の長さ方向へ間欠的に形成され、両側縁部３８の内側で幅方向へ延びる複数個の第１の係合歯２１を有し、
前記バックル６は、鞘状体の第１の連結部材４と、前記第１の連結部材に係脱可能であって前端と後端とを有する第２の連結部材５とから構成され、前記第２の連結部材が前記前端寄りに形成されて前記第１の連結部材に係脱する挿入部１４と、前記ストラップがその長さ方向へ移動可能に軸部１９に掛け回されていて前記後端寄りに形成された保持枠部１５とを有し、
前記保持枠部１５が、これに回動可能に軸支された可動係合片２０を有し，前記可動係合片は、ばね付勢されていて、前記第１の係合歯２１に当接して前記ストラップ３の緩み方向への移動を阻止する第２の係合歯２４を有し、かつ、前記ストラップが締め付け方向へ引張られたとき、前記第２の係合歯が前記ばねの作用に抗して前記軸支された部位を支点として前記第１の係合歯から浮き上がる方向へ動作して、前記ストラップの締め付け方向への移動を許すように構成されているダイビングフィン用ストラップ付きバックルにおいて、
前記保持枠部１５は、前記後端近傍において、頂部３１と、前記頂部の両側に垂下する一対の側部３２とによって下向きＵ字形に形成されており、前記頂部の下方に前記一対の側部間に延びていて前記ストラップが掛け回される前記軸部が位置し、
前記頂部の下面は、該下面と前記軸部との間に位置する前記ストラップに対して、幅方向両側縁部３７が前記第１の係合歯２１の外側で前記ストラップの両側縁部３８に該両側縁部の摺動を可能ならしめるように当接する両側縁部３７と、前記両側縁部３７の間に、前記第１の係合歯２１の前記ストラップ長手方向への移動を許すように上方へ向かって前記第１の係合歯の高さよりも深くえぐられている幅方向中央部３９とを有し、よって、前記頂部３１は、下向きに開口する凹部に形成されていることを特徴とする前記ストラップ付きバックル。
【発明の詳細な説明】
【０００１】
【発明の属する技術分野】
この発明は、ダイビングフィンに使用するのに好適なストラップ付きのバックルに関する。
【０００２】
【従来の技術】
図５，６は、特公平１−３８５１０号公報に開示されたダイビングフィン１０１の部分斜視図と、同図のＶＩ−ＶＩ線断面図である。ただし、図６ではフィン１０１に使用されている硬質プラスチック製のバックル１０６が断面図で示され、軟質ゴム製のヒールストラップ１０３が側面図で示されている。このバックル１０６は、ストラップ１０３をフィン１０１のフットポケット１０２の後端部に連結し、かつ、フィン着用者のヒールに対してストラップ１０３を締め付けることができる。バックル１０６は、鞘状体の第１の連結部材１０４と、第２の連結部材１０５とを有し、第１の連結部材１０４がフットポケット後端部に取り付けられている。第２の連結部材１０５は、第１の連結部材１０４に係脱可能な挿入部１１４と、ストラップ１０３が掛け回された保持枠部１１５とを有する。保持枠部１１５は、軸部１２３で支持されていて、ばね１２８によって図６の時計方向へ旋回するように付勢された可動係合片１２０を有し、係合片１２０の下面には第２の係合歯１２４が形成されている。ストラップ１０３は、保持枠部１１５のピン１１９に掛け回されており、一側面の長さ方向に複数個形成された第１の係合歯１２１が第２の係合歯１２４に図６の矢印１２９方向から当接している。可動係合片１２０をばね１２８の付勢に抗して旋回させると、第２の係合歯１２４が第１の係合歯１２１から離脱するように上方へ移動する。このときに、ストラップ１０３を矢印１２９方向へ引張ると、ストラップ１０３を緩める方向へ移動させることができる。第１の係合歯１２１は、傾斜した背面１２１Ａを有しており、ストラップ１０３を矢印１２９とは反対の方向へ引張ると、背面１２１Ａで可動係合片１２０を上方へ浮かせて、ストラップ１０３を締め付ける方向へ移動させることができる。
【０００３】
【発明が解決しようとする課題】
図５、６に示された従来のバックル１０６とストラップ１０３とでは、直状に形成されたストラップ１０３がＵ字状ないしＶ字状に曲げられてピン１１９に掛け回されている。ストラップ１０３は、直状に戻ろうとして図６の矢印１４０方向へ動き、矢印１２９方向へ引張られると第１の係合歯１２１が保持枠部１１５の後端１１５Ａに図６の右方から衝接してストラップ１０３の矢印１２９方向へのスムーズな移動を妨げることがある。そのような衝接によって、ストラップ１０３を緩める作業は手間がかかることになる。
【０００４】
この発明が課題とするところは、かかる従来のバックルとストラップとに対して、ストラップの動きがスムーズで、ストラップを手間をかけずに緩めることができるように改良を施すことにある。
【０００５】
【課題を解決するための手段】
前記課題解決のために、この発明が対象とするのは、ダイバーのヒールを締め付けるストラップと、前記ストラップのフィンへの連結と前記締め付け調整とが可能なバックルとから構成され、
前記ストラップは、その一側面の長さ方向へ間欠的に形成され、両側縁部の内側で幅方向へ延びる複数個の第１の係合歯を有し、
前記バックルは、鞘状体の第１の連結部材と、前記第１の連結部材に係脱可能であって前端と後端とを有する第２の連結部材とから構成され、前記第２の連結部材が前記前端寄りに形成されて前記第１の連結部材に係脱する挿入部と、前記ストラップがその長さ方向へ移動可能に軸部に掛け回されていて前記後端寄りに形成された保持枠部とを有し、
前記保持枠部が、これに回動可能に軸支された可動係合片を有し，前記可動係合片は、ばね付勢されていて、前記第１の係合歯に当接して前記ストラップの緩み方向への移動を阻止する第２の係合歯を有し、かつ、前記ストラップが締め付け方向へ引張られたとき、前記第２の係合歯が前記ばねの作用に抗して前記軸支された部位を支点として前記第１の係合歯から浮き上がる方向へ動作して、前記ストラップの締め付け方向への移動を許すように構成されているダイビングフィン用ストラップ付きバックルである。
【０００６】
かかるストラップ付きのバックルにおいて、この発明が特徴とするところは、以下のとおりである。即ち、前記保持枠部は、前記後端近傍において、頂部と、前記頂部の両側に垂下する一対の側部とによって下向きＵ字形に形成されており、前記頂部の下方に前記一対の側部間に延びていて前記ストラップが掛け回される前記軸部が位置し、
前記頂部の下面は、該下面と前記軸部との間に位置する前記ストラップに対して、幅方向両側縁部が前記第１の係合歯の外側で前記ストラップの両側縁部に該両側縁部の摺動を可能ならしめるように当接する両側縁部と、前記両側縁部の間に、前記第１の係合歯の前記ストラップ長手方向への移動を許すように上方へ向かって前記第１の係合歯の高さよりも深くえぐられている幅方向中央部とを有し、よって、前記頂部は、下向きに開口する凹部に形成されている。
【０００７】
【発明の実施の形態】
添付の図面を参照し、この発明に係るストラップ付きのバックルの詳細を説明すると、以下のとおりである。
【０００８】
図１は、ストラップ付きのバックルが使用されているダイビングフィン１の斜視図である。図示例のフィン１、ストラップ３、およびバックル６の外観は、図５に示された従来例のそれらとほぼ同じである。ストラップ付きのバックルは、フィン着用者のヒールを締め付けるストラップ３と、ストラップ３をフィン１のフットポケット２の後端部に連結するバックル６とからなる。ストラップ３は、軟質ゴム製の直状のもので、図ではそれが弧を画くように曲げられて、両端部がバックル６に長さ調節可能に掛け回されている。バックル６は、フットポケット２に取り付けられた鞘状体の第１の連結部材４と、第１の連結部材４に係脱する第２の連結部材５とからからなり、これら両連結部材４，５が硬質プラスチックで形成されている。
【０００９】
図２，３は，図１のＩＩ−ＩＩ線断面図と第２の連結部材５の分解斜視図である。ただし、図２では、ストラップ３が側面図で示されている。第１の連結部材４は、図５，６に示された従来技術のそれと同様なもので、先端部の係合孔１２Ｃにフィン１に形成された係合突起７が嵌合し、突起７のフランジ部９が係合孔１２Ｃの周縁部に内側から当接することによって、連結部材４がフットポケット２の後端部に取り付けられている。
【００１０】
第２の連結部材５は、前端と後端とを有し、その前端寄りには鞘状体の第１の連結部材４に進入、退却可能な挿入部１４が形成され、後端寄りにストラップ３が掛け回される保持枠部１５が形成されている。挿入部１４は、ガイド用の腕１６と、腕１６を挟んで並行に延びる一対の係合腕１８とを有する。挿入部１４が第１の連結部材４に進入するときに、腕１６は連結部材４に形成された案内溝（図示せず）に嵌合し、進入方向の案内となる。係合腕１８は、図３の上下方向に弾性変形しながら、先端部１８Ａが連結部材４の側部に形成された窓孔１１(図１参照)に離脱可能に嵌合し、第１の連結部材４からの第２の連結部材５の不用意な退却を阻止している。第２の連結部材５を第１の連結部材４から退却させるには、図１において係合片１８の先端部１８Ａを第１の連結部材４の内方へ向かって押圧すればよい。
【００１１】
第２の連結部材５の保持枠部１５は、挿入部１４と一体に形成されている枠部分３０と枠部分３０の内側に納まる可動係合片２０とを有する。枠部分３０は、頂部３１と、頂部３１の両側に垂下する一対の側部３２とを有し（図４参照）、頂部３１には可動係合片２０が納まる窓孔３３が形成され、側部３２のそれぞれには軸孔２５が形成されている。また、側部３２どうしの間には架橋３４と回動可能な円柱状のピン１９とが延びている。可動係合片２０は、対向する側縁部から外側へ突出する軸部２３と、軸部２３よりも前方で枠部３０の内側へ向かって略Ｌ字を画いて延びる複数条のばね部３６と、軸部２３よりも後方の内面に位置する第２の係合歯２４とを有する。窓孔３３に納まったときの可動係合片２０では、軸部２３が軸孔２５に回動可能に支えられ、ばね部３６が図２の上方から架橋３４に当接する。
【００１２】
図２において、直状に形成されたストラップ３は、第１の係合歯２１が外を向くようにして横向きＵ字状ないしＶ字状に曲げられて、第２の連結部材５のピン１９に掛け回される。ストラップ３は、バックル６に対して矢印２９方向へ移動するときに緩むように掛け回されている。ただし、不用意に緩むことがないように、ストラップ３の第１の係合歯２１が可動係合片２０に形成された第２の係合歯２４に図の右方から当接している。ストラップ３を緩めるときには、図２において可動係合片２０の前端部分２０Ａを押圧する。すると、可動係合片２０は、軸部２３が支えられた部位を支点として、架橋３４に当接するばね部３６を弾性変形させながら、第２の係合歯２４が第１の係合歯２１から浮き上がるように旋回して、ストラップ３が矢印２９方向とその反対方向とのいずれにも移動可能になる。また、ストラップ３を締め付ける方向へ移動させるときには、図２において矢印２９とは反対の方向に引張ればよい。そのようにすれば、第１の係合歯２１の傾斜した背面２１Ａが第２の係合歯２４に下方から当接して可動係合片２０をばね部３６の付勢に抗して浮き上がらせ、第２の係合歯２４を第１の係合歯２１から離脱させることができる。
【００１３】
図４は、図１のＩＶ−ＩＶ線矢視図であって、第２の連結部材４の後端の形状と、掛け回されたストラップ３の断面形状とを示している。連結部材４では、枠部分３０のうちの少なくとも後端近傍が頂部３１と一対の側部３２とで下向きのＵ字形を呈している。頂部３１では、その下面のうちの両側縁部３７が、ストラップ３において幅方向へ延びる第１の係合歯２１よりも外側に位置する側縁部３８に当接可能である。頂部３１の下面のうちの幅方向中央部３９は、第１の係合歯２１の高さよりも深くえぐられて、下向きに開口した凹部を形成している。Ｕ字状に掛け回されたストラップ３は、図２，４において矢印４０方向へ弾性的に動いて直状のものに戻ろうとするが、図４に示されるように、ストラップ３は両側縁部３８が頂部３１の側縁部３７に当接しても、第１の係合歯２１は、頂部３１の下面に強く接触したり、頂部３１の後端、即ち枠部分３０の後端３０Ａに衝接することがない。ストラップ３の側縁部３８は、それが当接する保持枠部３０の側縁部３７に対して滑らかに摺動するので、ストラップ３の矢印２９方向およびその反対方向への移動はスムーズである。それゆえ、このストラップ付きのバックルでは、従来技術に見られたストラップの係合歯がバックルの後端に衝接してストラップの長手方向へのスムーズな移動を妨げるという問題を解消することができる。
【００１４】
【発明の効果】
この発明に係るダイビングフィン用ストラップ付きのバックルでは、保持枠部の頂部内面がえぐられていてストラップが長手方向へ移動するときにストラップの係合歯が保持枠部に衝接しないから、ストラップの長手方向への移動がスムーズになる。
【図面の簡単な説明】
【図１】ダイビングフィンの斜視図。
【図２】図１のＩＩ−ＩＩ線矢視図。
【図３】第２の連結部材の分解斜視図。
【図４】図１のＩＶ−ＩＶ線矢視図。
【図５】従来技術のダイビングフィンの部分斜視図。
【図６】図５のＶ−Ｖ線矢視図。
【符号の説明】
１      ダイビングフィン
２      フットポケット
３      ストラップ
４      第１の連結部材
５      第２の連結部材
６      バックル
１４    挿入部
１５    保持枠部
１９    軸部
２０    可動係合片
２１    第１の係合歯
２４    第２の係合歯
３１    頂部
３２    側部
３７    側縁部
３８    側縁部
３９    幅方向中央部
【図１】
0003616739.tif 000002
【図２】
0003616739.tif 000003
【図３】
0003616739.tif 000004
【図４】
0003616739.tif 000005
【図５】
0003616739.tif 000006
【図６】
0003616739.tif 000007